(57)【特許請求の範囲】
【請求項１】
頭髪を纏めた状態で保持するための髪保持体と、髪保持体の基端に固着された装飾部とを有する装飾用髪止め具であって、
前記髪保持体が、長尺帯状の支持部の片辺から略一定幅の複数の髪把持線条を略直交状に平行に突出させた形状を有しており、
前記髪把持線条の内の少なくとも１つ以上が、所定の間隔で左右にジクザクに屈曲した屈曲部を中央に設けたものであるとともに、
すべての髪把持線条の基端および先端に、前記支持部と直交する方向に対して屈曲していない非屈曲部が設けられており、かつ、
前記各髪把持線条の左右の上下のエッジがいずれも面取りされており、左右の上側のエッジの曲率半径の方が左右の下側のエッジの曲率半径よりも大きくなっていることを特徴とする装飾用髪止め具。
【請求項２】
前記各髪把持線条の長さが、５０ｍｍ以上１００ｍｍ以下であるとともに、それらの各髪把持線条の基端および先端の非屈曲部の長さが１０ｍｍ以上３０ｍｍ以下であることを特徴とする請求項１に記載の装飾用髪止め具。
【請求項３】
前記髪把持線条に設けられた屈曲部における屈曲の間隔が３ｍｍ以上７ｍｍ以下であることを特徴とする請求項１、または請求項２に記載の装飾用髪止め具。
【請求項４】
前記髪保持体の支持部が、長手方向に沿った鉛直面において外向きの凸になるように円弧状に湾曲しているとともに、
前記髪把持線条が、長手方向に沿った鉛直面において外向きの凸になるように円弧状に湾曲しており、かつ、長手方向に沿った中心線に対して外側に位置した髪把持線条の方が、長手方向に沿った中心線に対して内側に位置した髪把持線条よりも下側に位置していることを特徴とする請求項１〜３のいずれかに記載の装飾用髪止め具。
【請求項５】
前記髪保持体が、金属板を打ち抜くことによって一体的に形成されたものであることを特徴とする請求項１〜４のいずれかに記載の装飾用髪止め具。
【発明の詳細な説明】
【技術分野】
【０００１】
本発明は、頭髪を纏めた状態で保持するための髪止め具に関するものであり、詳しくは、頭髪を装飾するための装飾部分を有する装飾用髪止め具に関するものである。
【背景技術】
【０００２】
従来の装飾用髪止め具としては、頭髪を任意の形状に纏めた状態で保持するための髪保持部の基端に装飾部材を設けたものが知られている。また、従来の装飾用髪止め具の中には、特許文献１の如く、金属線材を棒状に屈曲させてなる複数の櫛歯を平行に並べることによって髪保持部を形成したものが多いが、特許文献２の如く、纏めた頭髪の間から脱落しないようにするために、左右に鋸刃状の凹凸を設けた刀身状の櫛歯を平行に並べることによって髪保持部を形成した装飾用髪止め具も考案されている。
【０００３】
【特許文献１】特開平９−２９９１３１号公報
【特許文献２】実用新案登録第３１１４６２２号公報
【発明の開示】
【発明が解決しようとする課題】
【０００４】
しかしながら、特許文献１の装飾用髪止め具は、細径の金属線材を棒状に屈曲させることによって櫛歯が形成されているため、櫛歯の強度が低いので、所謂“夜会巻き”等の複雑な髪型で頭髪を纏める際には、櫛歯の間に頭髪を挟み込んだ状態で動かした際に櫛歯が折損してしまう、という不具合がある。
【０００５】
一方、特許文献２の装飾用髪止め具は、鋸刃状の凹凸を基端から先端まで設けた櫛歯が非常に短い間隔で設けられているため、櫛歯と頭髪との摩擦抵抗が大きいので、各櫛歯を頭髪内に差し込みにくく（各櫛歯間に頭髪を挿入させにくく）、装着に手間がかかる、という不具合がある。加えて、特許文献２の装飾用髪止め具は、上述の如く櫛歯と頭髪との摩擦抵抗が大きいので、夜会巻き等の複雑な髪型で頭髪を纏める際には、髪把持線条同士の間に頭髪を挟み込んだ状態では非常に動かしにくく、無理矢理に動かすと頭髪が傷んでしまう、という不具合がある。
【０００６】
本発明の目的は、上記従来の装飾用髪止め具が有する問題点を解消し、頭髪への装着が容易であり、頭髪の間から脱落しにくいのみならず、夜会巻き等の複雑な髪型で頭髪を纏める際に頭髪を挟み込んだ状態で容易に動かすことができ、その上、頭髪を傷めることのない実用的な装飾用髪止め具を提供することにある。
【課題を解決するための手段】
【０００７】
かかる本発明の内、請求項１に記載された発明は、頭髪を纏めた状態で保持するための髪保持体と、髪保持体の基端に固着された装飾部とを有する装飾用髪止め具であって、前記髪保持体が、長尺帯状の支持部の片辺から略一定幅の複数の髪把持線条を略直交状に平行に突出させた形状を有しており、前記髪把持線条の内の少なくとも１つ以上が、所定の間隔で左右にジクザクに屈曲した屈曲部を中央に設けたものであるとともに、すべての髪把持線条の基端および先端に、前記支持部と直交する方向に対して屈曲していない非屈曲部が設けられており、かつ、前記各髪把持線条の左右の上下のエッジがいずれも面取りされており、左右の上側のエッジの曲率半径の方が左右の下側のエッジの曲率半径よりも大きくなっていることを特徴とするものである。なお、本発明の装飾用髪止め具は、髪保持体における髪把持線条同士の間隔を４ｍｍ以上１２ｍｍ以下に調整すると、高い頭髪の拘束力と、夜会巻き等の複雑な髪型で頭髪を纏める際における頭髪を挟み込んだ状態での良好な操作性（動かし易さ）とを同時に発現させることができるので好ましい。
【０００８】
請求項２に記載された発明は、請求項１に記載された発明において、前記各髪把持線条の長さが、５０ｍｍ以上１００ｍｍ以下であるとともに、それらの各髪把持線条の基端および先端の非屈曲部の長さが１０ｍｍ以上３０ｍｍ以下であることを特徴とするものである。
【０００９】
請求項３に記載された発明は、請求項１、または請求項２に記載された発明において、前記髪把持線条に設けられた屈曲部における屈曲の間隔が３ｍｍ以上７ｍｍ以下であることを特徴とするものである。
【００１０】
請求項４に記載された発明は、請求項１〜３のいずれかに記載された発明において、前記髪保持体の支持部が、長手方向に沿った鉛直面において外向きの凸になるように円弧状に湾曲しているとともに、前記髪把持線条が、長手方向に沿った鉛直面において外向きの凸になるように円弧状に湾曲しており、かつ、長手方向に沿った中心線に対して外側に位置した髪把持線条の方が、長手方向に沿った中心線に対して内側に位置した髪把持線条よりも下側に位置していることを特徴とするものである。
【００１１】
請求項５に記載された発明は、請求項１〜４のいずれかに記載された発明において、前記髪保持体が、金属板を打ち抜くことによって一体的に形成されたものであることを特徴とするものである。
【発明の効果】
【００１２】
請求項１に記載された装飾用髪止め具は、髪保持体が、長尺帯状の支持部の片辺から略一定幅の複数の髪把持線条を略直交状に平行に突出させた形状を有しており、すべての髪把持線条の先端に非屈曲部が設けられているため、各髪把持線条を頭髪の間にスムーズに差し込むことができるので、非常に装着し易い。また、髪把持線条の内の少なくとも１つ以上が、所定の間隔で左右にジクザクに屈曲した屈曲部を中央に設けたものであるため、髪把持線条の間に入り込んだ頭髪が高い拘束力で把持されるので、頭髪の間から脱落しにく上、長期間に亘って頭髪を任意の形状に纏めた状態で保持することができる。さらに、すべての髪把持線条の基端および先端に非屈曲部が形成されているため、夜会巻き等の複雑な髪型で頭髪を纏める際に、頭髪を挟み込んだ状態で動かし易い。加えて、各髪把持線条の左右の側縁においては、下側のエッジの曲率半径の方が上側のエッジの曲率半径よりも小さくなっており、当該髪把持線条の側縁の下側のエッジと髪把持線条同士の間に入り込んだ頭髪との摩擦抵抗が適度な大きさに保たれるため、髪把持線条同士の間に入り込んだ頭髪が強固に把持されるので、頭髪の間から脱落する事態が高い精度で防止され、きわめて長期間に亘って頭髪を任意の形状に纏めた状態で保持することができる。
【００１３】
請求項２に記載された装飾用髪止め具は、各髪把持線条の長さ、および、各髪把持線条の基端および先端の非屈曲部の長さが特定の最適な範囲に調整されているので、各髪把持線条を頭髪の間にきわめてスムーズに差し込むことができ、非常に装着し易い上、各髪把持線条同士の間に入り込んだ頭髪が非常に強固に把持されるため、頭髪の間から脱落する事態が高い精度で防止され、きわめて長期間に亘って頭髪を任意の形状に纏めた状態で保持することができる。
【００１４】
請求項３に記載された装飾用髪止め具は、髪把持線条に設けられた屈曲部における屈曲の間隔が特定の最適な範囲に調整されているので、各髪把持線条を頭髪の間にきわめてスムーズに差し込むことができ、非常に装着し易い上、各髪把持線条同士の間に入り込んだ頭髪が非常に強固に把持されるため、頭髪の間から脱落する事態が高い精度で防止され、きわめて長期間に亘って頭髪を任意の形状に纏めた状態で保持することができる。
【００１５】
請求項４に記載された装飾用髪止め具は、髪保持体全体によって凸状の球面が形成されるので、頭髪に装着した場合に良好なフィット感を得ることができる。なお、支持部および各髪把持線条の湾曲形状を、曲率半径が約７０ｍｍ以上９０ｍｍ以下となるように調整すると、頭髪に装着した場合のフィット感が非常に良好なものとなるので好ましい。
【００１６】
請求項５に記載された装飾用髪止め具は、髪保持体が、金属板を打ち抜くことによって一体的に形成されたものであるので、夜会巻き等の複雑な髪型で頭髪を纏める場合や、長期間に亘って使用した場合でも、髪把持線条が折損しにくい上、安価かつ容易に製造することができる。加えて、ユーザが、自分の頭部の形状に合致するように容易に曲げる（撓ませる）ことができる。
【発明を実施するための最良の形態】
【００１７】
以下、本発明の装飾用髪止め具の一実施形態を、図面にしたがって詳細に説明する。図１、図２は、それぞれ、装飾用髪止め具の平面図、斜視図であり、装飾用髪止め具１は、頭髪を纏めた状態で保持するための髪保持体２と、髪保持体２の基端に固着された装飾部９とによって構成されている。
【００１８】
図３〜図５は、それぞれ、髪保持体２の平面図、左側面図、正面図である。髪保持体２は、金属板（鉄板）を打ち抜いて湾曲させることによって一体的に形成されており、全体にロジウムによるメッキが施されている。そして、長尺帯状の支持部３の片辺から８本の髪把持線条４，４・・を直交状に突出させた形状を有しており、全体（支持部３および髪把持線条４，４・・）の厚さが約１．３ｍｍになっており、長さ約７３ｍｍ×幅約６２ｍｍの大きさを有している。
【００１９】
髪保持体２の支持部３は、横幅約７３ｍｍ×縦幅約３．５ｍｍの長尺な帯状に形成されており、長手方向（図３における波線Ａ−Ａの方向）に沿った鉛直面において外向き（上向き）の凸になるように円弧状に湾曲している（図５参照、曲率半径＝約８０ｍｍ）。また、髪把持線条４，４・・を突出させた支持部３の片辺は、髪把持線条４，４・・同士の間および両端際の部分が後向きに凸の円弧状になっている。
【００２０】
一方、支持部３の片辺から突出した８本の髪把持線条４，４・・は、いずれも、幅が約２．０ｍｍで長さが約７３．０ｍｍになっている。また、いずれの髪把持線条４，４・・も、支持部３の表面（裏面）の方向に沿って、支持部３の片辺から突出しており、支持部３の横幅方向と直交した状態になっている。さらに、各髪把持線条４，４・・は、約６．５ｍｍの間隔（隣り合う髪把持線条４，４同士の間隔）を隔てて、等間隔に、かつ、平行に配置された状態になっている。そして、長手方向に沿った中心線（図３における波線Ａ−Ａ）に対して外側に位置した髪把持線条４，４・・の方が、長手方向に沿った中心線に対して内側に位置した髪把持線条４，４・・よりも下側に位置した状態になっている（図４参照）。
【００２１】
また、各髪把持線条４，４・・は、長手方向に沿った鉛直面において外向きの凸になるように円弧状に湾曲している（図４参照、曲率半径＝約８０ｍｍ）。そして、図３の如く、中央（長手方向における中央）に、所定の間隔で左右にジクザクに屈曲した屈曲部７が設けられている。すなわち、左側（図３における左側）から１，３，５，７番目の各髪把持線条４，４・・の屈曲部７においては、約６．０ｍｍの間隔（ピッチ）で、右向き、左向き、右向き・・・の順に６回に亘って交互に折り曲げられている（谷折りと山折りが連続するようにジグザグに折り曲げられている）。そして、隣り合った折り曲げ部分同士（右向きの折り曲げ部分と左向きの折り曲げ部分）が約１２０度の角度を成した状態になっている。また、左側から２，４，６，８番目の各髪把持線条４，４・・の屈曲部７においては、約６．０ｍｍの間隔で、左向き、右向き、左向き・・・の順に６回に亘って交互に折り曲げられており、隣り合った折り曲げ部分同士が約１２０度の角度を成した状態になっている。
【００２２】
さらに、すべての髪把持線条４，４・・の基端および先端に、支持部３と直交する方向（支持部３の表面に沿った方向）に対して屈曲していない非屈曲部８ａ，８ｂが形成されている。そして、各髪把持線条４，４・・の基端の非屈曲部８ａの長さは、約２０ｍｍになっており、各髪把持線条４，４・・の先端の非屈曲部８ｂの長さは、約１８ｍｍになっている。また、各髪把持線条４，４・・の左右の側縁の上下のエッジは、いずれも面取り加工されている。そして、左右の上側のエッジの曲率半径、左右の下側のエッジの曲率半径が、それぞれ、約０．３ｍｍ、約０．１ｍｍになっており、図６の如く、左右の上側のエッジの曲率半径の方が、左右の下側のエッジの曲率半径よりも大きくなっている。また、各髪把持線条４，４・・においては、先端の部分が円弧状に切断されており、その円弧状の切断面の上下のエッジにも同様な面取り加工が施されている。
【００２３】
上記した髪保持体２においては、全体の形状が、長手方向に沿った中心線（図３における波線Ａ−Ａ）に対して、左右対称になっている。また、髪保持体２の支持部３が、長手方向に沿った鉛直面において外向きの凸になるように円弧状に湾曲しているとともに、各髪把持線条４，４・・が、長手方向に沿った鉛直面において外向きの凸になるように円弧状に湾曲しており、長手方向に沿った中心線に対して外側に位置した髪把持線条４，４・・の方が、長手方向に沿った中心線に対して内側に位置した髪把持線条４，４・・よりも下側に位置していることによって、全体が単一な球面（図４、図５におけるＳ）を形成した状態になっている。
【００２４】
一方、装飾部９は、複数の装飾体（ガラス等によって形成された模造宝石等）５，５・・と、それらの装飾体５，５・・を支持するための支持台６，６・・とによって構成されている。各支持台６，６・・は、髪保持体２と同様に、鉄によって形成されており、表面がロジウムによってメッキされており、髪保持体２と同色になっている。また、各支持台６，６・・の表面には、装飾体５を接着するための平坦部分（図示せず）が形成されており、その平坦部分に装飾体５が接着された状態になっている。また、各支持台６，６・・には、複数の爪（図示せず）が一体的に設けられており、それらの爪によって装飾体５が掴持された状態になっている。そして、そのように装飾体５，５・・を鏤めた支持台６，６・・は、裏側の部分が髪保持体２の支持部３の表面に溶接されることによって、髪保持体２と一体になっている。
【００２５】
上記の如く構成された装飾用髪止め具１の使用態様の一例について説明する。たとえば、後部の頭髪を上方に巻き上げた所謂“夜会巻き”状態で保持したい場合には、まず、頭髪を一つに束ね、その束ねた頭髪を回転させながら根元から毛先に至るまで十分に捻り上げる。さらに、装飾用髪止め具１を裏返しに把持して、髪把持線条４，４・・を、捻り上げた頭髪内に、毛先側から側根元側まで十分に差し込む。しかる後、髪把持線条４，４・・の先端位置をできるだけずらさないようにしながら装飾部９を持ち上げるようにして、装飾用髪止め具１を表向きにひっくり返す。そして、最後に、髪把持線条４，４・・を、再度、捻り上げた頭髪内に、毛先側から側根元側まで十分に差し込むことによって装飾用髪止め具１の頭髪への装着を完了する。そのように髪把持線条４，４・・が頭髪内に差し込まれると、髪把持線条４，４・・同士の間に入り込んだ頭髪が適度な拘束力で把持されて、後部の頭髪が上方に巻き上げられた“夜会巻き”状態で強固に保持される。
【００２６】
装飾用髪止め具１は、上記の如く、髪保持体２が、長尺帯状の支持部３の片辺から略一定幅の複数の髪把持線条４，４・・を略直交状に平行に突出させた形状を有しており、各髪把持線条４，４・・が、所定の間隔で左右にジクザクに屈曲した屈曲部７を中央に設けたものであるとともに、各髪把持線条４，４・・の先端に、支持部３と直交する方向に対して屈曲していない非屈曲部８ｂが形成されている。したがって、髪把持線条４，４・・を頭髪の間に非常にスムーズに差し込むことができるので、装着し易い上、髪把持線条４，４・・の間に入り込んだ頭髪が適度な拘束力で把持されるため、頭髪の間から脱落しにくく、長期間に亘って頭髪を任意の形状に纏めた状態で保持することができる。その上、各髪把持線条４，４・・の基端および先端に、支持部３と直交する方向に対して屈曲していない非屈曲部８ａ，８ｂが形成されているため、夜会巻き等の複雑な髪型で頭髪を纏める際に、頭髪を挟み込んだ状態でも動かし易い。
【００２７】
また、装飾用髪止め具１は、各髪把持線条４，４・・の長さが約７３ｍｍになっており、各髪把持線条４，４・・の基端および先端の非屈曲部８ａ，８ｂの長さが、それぞれ、約２０ｍｍ、約１８ｍｍになっているとともに、各髪把持線条４，４・・の屈曲部７における屈曲の間隔（ピッチ）が約６．０ｍｍになっている。それゆえ、髪把持線条４，４・・を頭髪の間にきわめてスムーズに差し込むことができ、非常に装着し易い上、髪把持線条４，４・・同士の間に入り込んだ頭髪が非常に強固に把持されるため、頭髪の間から脱落する事態が高い精度で防止され、きわめて長期間に亘って頭髪を任意の形状に纏めた状態で保持することができる。
【００２８】
さらに、装飾用髪止め具１は、髪保持体２の支持部３が、長手方向に沿った鉛直面において外向きの凸になるように円弧状に湾曲しているとともに、各髪把持線条４，４・・が、長手方向に沿った鉛直面において外向きの凸になるように円弧状に湾曲しており、かつ、長手方向に沿った中心線に対して外側に位置した髪把持線条４，４・・の方が、長手方向に沿った中心線に対して内側に位置した髪把持線条４，４・・よりも下側に位置しており、髪保持体２の全体が単一な凸状の球面（図４、図５におけるＳ）を形成した状態になっているので、頭髪に装着した場合に良好なフィット感を得ることができる。
【００２９】
加えて、装飾用髪止め具１は、髪保持体２が、金属板を打ち抜くことによって一体的に形成したものであるので、夜会巻き等の複雑な髪型で頭髪を纏める場合や、長期間に亘って使用した場合でも、髪把持線条４，４・・が折損しにくい上、安価かつ容易に製造することができる。また、ユーザが、自分の頭部の形状に合致するように容易に曲げる（撓ませる）ことができる。
【００３０】
また、装飾用髪止め具１は、各髪把持線条４，４・・の左右および上下の側縁が面取り加工されており、鋭利な状態になっていないので、夜会巻き等の複雑な髪型で頭髪を纏める場合や、長期間に亘って装着された場合でも、頭髪が傷んだりしない。それにも拘わらず、各髪把持線条４，４・・の左右の側縁においては、下側のエッジの曲率半径の方が上側のエッジの曲率半径よりも小さくなっており、当該髪把持線条４，４・・の側縁の下側のエッジと髪把持線条４，４・・同士の間に入り込んだ頭髪との摩擦抵抗が適度な大きさに保たれている。それゆえ、髪把持線条４，４同士の間に入り込んだ頭髪が強固に把持されるので、頭髪の間から脱落する事態が高い精度で防止され、きわめて長期間に亘って頭髪を任意の形状に纏めた状態で保持することができる。なお、各髪把持線条４，４・・の左右の側縁の上側のエッジは、曲率半径が約０．２ｍｍ以上０．５ｍｍ以下となるように面取りするのが好ましく、各髪把持線条４，４・・の左右の側縁の下側のエッジは、曲率半径が約０．０５ｍｍ以上０．１５ｍｍ以下となるように面取りするのが好ましい。そして、そのような数値範囲を充足させつつ、下側のエッジの曲率半径の方が上側のエッジの曲率半径よりも小さくなるように調整するのが好ましい。
【００３１】
さらに、装飾用髪止め具１は、各髪把持線条４，４・・の先端が円弧状（半円柱状）に形成されているため、頭髪への装着時に、髪把持線条４，４・・が頭皮に垂直に押し当てられても痛みや不快感を感じたりしない。
【００３２】
なお、本発明の装飾用髪止め具の構成は、上記した実施の形態に何ら限定されるものではなく、髪保持体や装飾部の材質、形状、構造等の構成を、本発明の趣旨を逸脱しない範囲内で適宜変更することができる。
【００３３】
たとえば、本発明の装飾用髪止め具は、上記実施形態の如く、８本の髪把持線条を有するものに限定されず、７本以下あるいは９本以上の髪把持線条を有するものに変更することも可能である。また、装飾用髪止め具は、上記実施形態の如く、すべての髪把持線条の中央に屈曲部を設けたものに限定されず、本発明の装飾用髪止め具は、幅方向の中央付近に位置した一部の髪把持線条のみに屈曲部を設けたものや、屈曲部を有する髪把持線条と屈曲部を有しない髪把持線条とを互い違いに設けたもの等に変更することも可能である。図７〜９は、屈曲部を有する髪把持線条と屈曲部を有しない髪把持線条とを互い違いに設けた一例を示したものであり、装飾用髪止め具２１の髪把持線条４ａ，４ａ・・は、上記実施形態の装飾用髪止め具１の髪把持線条４（左側から２，４，６，８番目のもの）と同一の形状を有している。また、髪把持線条４ｂは、中央に屈曲部が設けられておらず、全体が長手方向に沿った鉛直面において外向きの凸になるように円弧状に湾曲している（曲率半径＝約８０ｍｍ）のみである。そして、装飾用髪止め具１の髪保持体２においては、４本の髪把持線条４ｂ，４ｂ・・の間に３本の髪把持線条４ａ，４ａ・・が位置しており、４本の髪把持線条４ｂ，４ｂ・・と髪把持線条４ａ，４ａ・・とが互い違いに並んだ状態になっている。かかる構成を採用した場合でも、上記実施形態における装飾用髪止め具１と同様に、夜会巻き等の複雑な髪型で頭髪を纏める際に頭髪を挟み込んだ状態でも動かし易い、という効果を発現させることができる。なお、図７〜９においては、左右への屈曲パターンが同一な屈曲部を有する髪把持線条と屈曲部を有しない髪把持線条とを互い違いに設けた一例を示したが、本発明の装飾用髪止め具は、すべての髪把持線条の中央に屈曲部を設ける場合、幅方向の中央付近に位置した一部の髪把持線条のみに屈曲部を設ける場合、屈曲部を有する髪把持線条と屈曲部を有しない髪把持線条とを互い違いに設ける場合のいずれの場合においても、屈曲部における左右への屈曲パターンは特に限定されず、任意に変更することが可能である。
【００３４】
また、髪保持体や支持台の材質は、鉄に限定されず、チタン、銅、アルミニウムやステンレス等の別の金属に変更することも可能である。場合によっては、髪保持体の材質と支持台の材質とを異ならせることも可能である。
【００３５】
加えて、表面にメッキする金属も、ロジウムに限定されず、ニッケルや銅等に変更することが可能である。なお、上記実施形態の如く、各髪把持線条や支持台を、表面をロジウムメッキした鉄によって形成した場合には、金属アレルギーの使用者が使用してもアレルギー反応が出にくい、というメリットがある。また、髪保持体の全部あるいは一部に表面にマット加工（表面を粗くする加工）を施すことも可能である。
【００３６】
また、髪保持体を形成する金属板の厚みは、金属板の材質等に応じて適宜変更することができる。なお、鉄板によって髪保持体を形成する場合には、鉄板の厚みを１．１ｍｍ以上１．８ｍｍ以下の範囲内に調整すると、髪把持線条が適度に硬くかつ適度に折れ曲がり易いものとなり、ユーザーの好みに合わせて髪保持体の形状を変化させ易くなる、というメリットがある。
【００３７】
また、髪把持線条の中央の屈曲部における折り曲げの個数は、上記実施形態の如き６個に限定されず、適宜変更することが可能である。加えて、折り曲げ度合いも、上記実施形態の如く、隣り合った折り曲げ部分同士が約１２０度を成すような態様に限定されず、隣り合った折り曲げ部分同士が１００度以上１６０度以下の角度を成す範囲内で、必要に応じて適宜変更することができる。なお、髪把持線条の屈曲部の折り曲げの個数を５個以上７個以下とするとともに、隣り合った折り曲げ部分同士が１１０度以上１３０度以下の角度を成すように折り曲げた場合には、髪把持線条同士の間に入り込んだ頭髪の拘束力が高すぎたり低すぎたりせず、非常にバランスの良いものとなり、装飾用髪止め具の使用感がきわめて良好なものとなる、というメリットがある。
【００３８】
一方、装飾部は、支持台に模造宝石を鏤めたものに限定されず、本物の宝石を取り付けたものや、造花等を取り付けたもの等に変更することも可能である。また、装飾部の形状は、必要に応じて適宜変更することができる。さらに、装飾用髪止め具は、上記実施形態の如く、複数の支持台を髪保持体に別々に固着したものに限定されず、複数の装飾体を取付可能な単一の支持台を髪保持体に固着したものでも良い。加えて、支持台を髪保持体に固着させる方法は、上記実施形態の如き溶接に限定されず、接着剤を用いた接着等でも良い。場合によっては、髪保持体と装飾部とを一体的に成形する方法を採用することも可能である。
【産業上の利用可能性】
【００３９】
本発明の装飾用髪止め具は、上記の如く優れた機能を奏するものであるので、頭髪の装飾目的を兼ねた髪止め部材として好適に用いることができる。
【図面の簡単な説明】
【００４０】
【図１】装飾用髪止め具の平面図である。
【図２】装飾用髪止め具の斜視図である。
【図３】髪保持体の平面図である。
【図４】髪保持体の左側面図である。
【図５】髪保持体の正面図である。
【図６】髪保持線条の鉛直断面（長手方向に対して垂直な断面）の様子を示す説明図である。
【図７】装飾用髪止め具（変更例）の平面図である。
【図８】装飾用髪止め具（変更例）の斜視図である。
【図９】装飾用髪止め具（変更例）の髪保持体を示す説明図である（ａは平面図であり、ｂは左側面図であり、ｃは正面図である）。
【符号の説明】
【００４１】
１・・装飾用髪止め具、２・・髪保持体、３・・支持部、４（４ａ，４ｂ）・・髪把持線条、７・・屈曲部、８ａ，８ｂ・・非屈曲部、９・・装飾部。
【要約】
【課題】頭髪への装着が容易であり、頭髪の間から脱落しにくいのみならず、夜会巻き等の複雑な髪型で頭髪を纏める際に頭髪を挟み込んだ状態で容易に動かすことができ、その上、頭髪を傷めることのない装飾用髪止め具を提供する。
【解決手段】装飾用髪止め具１は、頭髪を纏めた状態で保持するための髪保持体２と、髪保持体２の基端に固着された装飾部９とによって構成されている。髪保持体２は、鉄板を打ち抜いて湾曲させることによって一体的に形成されており、長尺帯状の支持部３の片辺から一定幅の８本の髪把持線条４，４・・を直交状に平行に突出させた形状を有している。そして、各髪把持線条４，４・・の中央には、所定の間隔で左右にジクザクに屈曲した屈曲部７が設けられており、各髪把持線条４，４・・の基端および先端には、支持部３と直交する方向に対して屈曲していない非屈曲部８ａ，８ｂが形成されている。
【選択図】図１【図１】
0004242916.tif 000002
【図２】
0004242916.tif 000003
【図３】
0004242916.tif 000004
【図４】
0004242916.tif 000005
【図５】
0004242916.tif 000006
【図６】
0004242916.tif 000007
【図７】
0004242916.tif 000008
【図８】
0004242916.tif 000009
【図９】
0004242916.tif 000010